(57)【要約】サーバ側の個人情報受付部１０１にて、サーバはクライアントから個人情報の受付を行う。利用者は個人情報入力部２０２にて入力を行う。入力が終了した場合には、その内容をサーバ側に送信する。サーバ側は意志確認受付部１０２にて利用者に以降の処理を行うか否かの意志を確認する。クライアント側は、意志確認入力部２０２にて以降の処理を行うか否かをサーバへ送信する。サーバ側はクライアント側の意志確認により、質問表示部１０３にて質問をクライアント側へ送信する。クライアント側の回答入力部２０４は送信されたフォームを表示して回答の入力を促す。利用者は入力を行い、入力が終了した場合には、その内容をサーバ側へ送信する。サーバ側は回答受付部１０４にてクライアント側の回答を入力する。サーバ側は、解析部１０５にてクライアント側からの回答結果に基づいて解析を行う。その解析結果を解析結果通知１０６にてクライアント側へ送信し、クライアント側は解析結果取得部２０５にて解析結果を取得する。
2002027580.tif 000002
【特許請求の範囲】
【請求項１】
情報提供システムにおいて、
利用者の個人情報の入力を促す個人情報受付部と、
利用者に情報を利用するか否かの意志の確認を行う意志確認受付部と、
利用者に質問を送信する質問送信部と、
利用者から質問に対する回答を受付ける回答受付部と、
利用者からの回答に基づいて解析を行う解析部と、
を有することを特徴とする情報提供システム。
【請求項２】
情報提供方法において、
利用者の個人情報の入力を促し、
利用者に情報を利用するか否かの意志の確認を行い、
利用者に質問を送信し、
利用者から質問に対する回答を受け付け、
利用者からの回答に基づいて解析を行う
ことを特徴とする情報提供システム
【請求項３】
前記方法は更に
利用者に対して解析結果を送信することを特徴とする請求項２記載の情報提供方法。
【請求項４】
前記方法は更に
利用者に対して、その解析結果の内容に基づいて契約を行うか否かの回答を受付けることを特徴とする請求項２記載の情報提供方法。
【請求項５】
前記方法は更に
利用者に対して解析結果を送付することを特徴とする請求項２記載の情報提供方法。
【請求項６】
前記方法は、
利用者からの回答に基づいて解析を行った後に、更に、
利用者からの情報を受付けるか否かの意志確認を行い、
利用者に質問を送信し、利用者からの質問に対する回答を受け付け、
利用者から回答に基づいて解析を行う
を少なくとも１回繰り返すことを特徴とする請求項２記載の情報提供方法。
【請求項７】
前記利用者の個人情報の入力を促しは、
入力画面を利用者に表示して情報の対価を支払うための個人情報の入力を促し、
その入力された個人情報を受付ける
ことを特徴する請求項２記載の情報提供方法。
【請求項８】
前記利用者の個人情報の入力を促しは、
前記個人情報を受付けた後に、その利用者に対して識別子を発行することを特徴とする請求項６記載の情報提供方法。
【請求項９】
前記利用者への質問は、就職を行う際の必要情報に関する質問であることを特徴とする請求項２記載の情報提供方法。
【請求項１０】
前記利用者への質問は、医者若しくは病院を検索する際に必要な情報に関する質問であることを特徴とする請求項２記載の情報提供方法。
【請求項１１】
前記利用者への質問は、弁護士若しくは法律事務所を検索する際に必要な情報に関する質問であることを特徴する請求項２記載の情報提供方法。
【請求項１２】
前記利用者からの回答に基づく解析は、
利用者からの回答に基づいて解析を行い、
その解析結果に基づいて、提供される情報に合致した情報を選択し、
その合致した情報を表示する
ことを特徴とする請求項２記載の情報提供方法。
【請求項１３】
前記利用者からの回答に基づく解析は、
利用者からの回答に基づいて解析を行い、
その解析結果を情報提供者に送付し、
前記情報提供者の付加情報を受け付け、
前記付加情報を前記利用者に送付する
ことを特徴とする請求項２記載の情報提供方法
【請求項１４】
前記利用者からの回答に基づく解析は、
利用者からの回答に基づいて解析を行い、
利用者からの回答に基づいて以降の質問内容を変更することを特徴とする請求項２記載の情報提供方法。
【請求項１５】
前記利用者からの回答に基づく解析は、
利用者からの回答に基づいて解析を行い、
前記利用者からの回答に基づいて以降の質問内容を変更し、
情報提供者から以降の質問を受付けて前記利用者へ送信する
ことを特徴とする請求項２記載の情報提供方法。
【請求項１６】
前記利用者からの回答に基づく解析は、
利用者からの回答に基づいて解析を行い、
就職情報を提供する企業に対して、その解析結果を送付し、
前記企業は、解析結果に基づいて更に詳細な質問を当該利用者に送付する
ことを特徴とする請求項９記載の情報提供方法。
【請求項１７】
前記利用者からの回答に基づく解析は、
利用者からの回答に基づいて解析を行い、
就職情報を提供する企業に対して、その解析結果を送付し、
前記企業は当該利用者との面接に関する情報を受け付け、
前記面接に関する情報を前記利用者に送付する
ことを特徴とする請求項９記載の情報提供方法。
【請求項１８】
前記利用者からの回答に基づく解析は
さらに、利用者からの意志確認を受付けることを特徴とする請求項１３記載の情報提供方法。
【請求項１９】
情報を取得する方法において
情報を提供するサーバに接続し、
利用者の個人情報を前記サーバへ送信し、
この情報を利用する意志確認をサーバへ送信し、
前記サーバからの質問を受付け、利用者にその質問に対する回答の入力を促し、利用者の回答を前記サーバへ送信する
ことを特徴とする情報取得方法。
【請求項２０】
前記方法は更に
利用者に対する解析結果を前記サーバから受け付け、その結果を表示することを特徴する請求項１９記載の情報取得方法
【請求項２１】
前記方法は利用者からの回答に基づいて解析を行った後に、更に、
情報を利用するか否かの意志確認をサーバへ送信し、
前記サーバからの質問を受付け、利用者にその質問に対する回答の入力を促し、
利用者の回答を前記サーバへ送信する
ステップを少なくとも１回繰り返すことを特徴とする請求項１９記載の情報取得方法。
【請求項２２】
情報提供プログラムを格納したコンピュータ読取り可能な記録媒体において、
利用者の個人情報の入力を促し、
利用者に情報を利用するか否かの意志の確認を行い、
利用者に質問を送信し、
利用者から質問に対する回答を受け付け、
利用者からの回答に基づいて解析を行う、
情報提供プログラムを格納するコンピュータ読取り可能な記録媒体
【請求項２３】
前記方法は更に
利用者に対して解析結果を送信することを特徴とする請求項２２記載の情報提供プログラムを格納するコンピュータ読取り可能な記録媒体。
【発明の詳細な説明】
技術分野
この発明は、情報提供システム、情報提供方法、情報取得方法、及び情報提供プログラムを記録したコンピュータ読取り可能な媒体に関する。
背景技術
必要な情報を得る場合には、その情報の性質上、情報を有する人に会う必要がある場合がある。この場合には利用者の匿名性が尊重されない場合が多い。また、情報の提供が無料である場合には責任関係が不明確に成りやすく利用者は必要な情報が得られない場合が多い。
例えば、就職情報の斡旋は、利用者の転職意志表明により、専門の斡旋会社がマンツーマンで行う場合が多い。これは以下の問題点がある。
まず、利用者によっては必ずしも転職の意志だけではなく、単に適正な市場価格を知りたい場合がある。この場合には、従来のシステムでは、利用者の匿名性の確保が難しい場合が多い。また、このような目的に対しては転職斡旋を前提とした斡旋の価格体系は問題がある。
また、上記のような利用者に対しては斡旋側にしても多くの時間を割くことは費用対効果の面で問題がある。斡旋側は、最終的な成果に結びつく顧客を段階的に選別したいというニーズがある。また、産業構造の変化による雇用の環境変化を受け、かかる利用者が増加していることも事実である。
発明の開示
本発明は、利用者の匿名性を尊重しつつ、どの段階まで利用者が希望しているかを把握する事ができ、さらに、利用者が得る情報とサーバ側が得る対価との最適均衡を達成することである情報提供システム、情報提供方法、情報取得方法及び情報提供プログラムを記録したコンピュータ読取り可能な媒体を提供する。
本発明に係る情報提供システムにおいて、利用者の個人情報の入力を促す個人情報受付部と、利用者に情報を利用するか否かの意志の確認を行う意志確認受付部と、利用者に質問を送信する質問送信部と、利用者から質問に対する回答を受付ける回答受付部と、利用者からの回答に基づいて解析を行う解析部と、を有することを特徴とする。
発明を実施するための形態
以下、本発明に係る情報提供システム、情報提供方法、情報取得方法、及び情報提供プログラムを記録したコンピュータ読取り可能な媒体の実施形態について図面を用いながら詳細に説明する。
図１は、本発明に係る情報提供システムを説明するための図面である。この図面はサーバ側、クライアント側、情報提供者側の三者を用いている。ここで、サーバとは情報を必要に応じて適宜利用者へ提供する主体をいい、情報を蓄積して、公開する。公開された情報はクライアント（利用者）が閲覧する。クライアントとは、サーバが供する情報を得る主体をいう。ここで、クライアントは情報の閲覧を例えば、コンピュータの閲覧アプリケーションプログラムを用いて行う。また、情報提供者とは、提供したい情報をサーバに送信して、その情報をサーバに公開させる。例えば、就職情報の斡旋システムの場合には就職希望者を募集する企業が含まれる。
ここで、本実施形態では、サーバ、クライアント、及び情報提供者は以下の説明の便宜上、一つづつとしたが、これに限られない。例えば、これらサーバ、クライアント、及び情報提供者は複数あってもよい。また、以下で説明する各種は別々のサーバに蓄積されていて、これら各部が通信しあって情報を提供するようにしても良い。
次に、図１を用いて本実施形態の情報提供方法を説明する。まず、情報提供者側は情報登録部３０１にて、情報の登録をサーバに対して行う。
続いて、必要に応じてクライアント側のサーバ接続部２０１はサーバへ接続する。接続方法としては、例えばモデムを用いて直接サーバへ接続することも考えられる。また、プロバイダを経由してインターネットを用いてサーバへ接続することも考えられる。また、例えば、ＬＡＮ接続等されており、既にサーバに接続するための環境をクライアント側の利用者が有する場合には、このサーバ接続部での接続は不要である。
次に、サーバ側の個人情報受付部１０１にて、サーバはクライアントから個人情報の受付を行う。受付は例えば、インターネットを用いて以下のように行うことができる。まず、利用者に個人情報を入力を行わせるためのフォームをインターネットを介して送信する。利用者はそのフォームに基づき入力を行う。
続いて、利用者は個人情報入力部２０３にて入力を行う。これは、例えば、氏名、住所等の個人情報の他、有料情報が提供された場合の支払いを行う方法、例えばクレジットカード情報等の入力を行う。入力が終了した場合には、その内容をサーバ側に送信する。この送信方法としては、例えば、一問一答のように一つの質問に対して一つの返答をサーバに送信する形態、所謂インタラクティブ（会話型）で送信してもよいし、フォームを送信してそのフォームの内容を一度にサーバ側に送信するようにしてもよい。
続いて、サーバ側は意志確認受付部１０２にて利用者に以降の処理を行うか否かの意志を確認する。この確認は情報を得るためには有料であることを知らない利用者に対しては有料であることを通知する。
続いて、クライアント側は、意志確認入力部２０２にて以降の処理を行うか否かをサーバへ送信する。ここで、例えば、情報が有料であることを知らなかった等の理由で以降の処理を行う意志が無い場合には、以降の処理を行わない旨をサーバ側へ送信する。
続いて、サーバ側はクライアント側の意志確認により、以降の処理を進める場合には、質問送信部１０３にて質問をクライアント側へ送信する。上述と同様に、この送信方法としては、例えば、一問一答のように一つの質問に対して一つの返答をサーバに送信する形態、所謂インタラクティブ（会話型）で送信してもよいし、フォームを送信してそのフォームの内容を一度にサーバ側に送信するようにしてもよい。
続いて、クライアント側の回答入力部２０４は送信されたフォームを表示して利用者に回答の入力を促す。利用者はその質問に対する回答の入力を行い、入力が終了した場合には、その内容をサーバ側へ送信する。
続いて、サーバ側は回答受付部１０４にてクライアント側の回答を入力し、サーバ側は、解析部１０５にてクライアント側からの回答結果に基づいて解析を行う。必要に応じて、例えば企業等の情報提供者から付加情報を得て、その情報の信頼性を高めるようにしても良い。この場合には情報提供者側の付加情報回答部３０２がその回答を行う。
ここで、解析の後に、その解析結果に基づいて、提供される情報に合致した情報を選択し、その合致した情報を利用者に対して表示するようにしてもよい。
また、その解析結果を情報提供者に送付し、前記情報提供者の付加情報を受け付け、前記付加情報を前記利用者に送付するようにしてもよい。
続いて、その解析結果を解析結果通知１０６にてクライアント側へ送信し、クライアント側は解析結果取得部２０５にて解析結果を取得する。ここで、解析結果の通知は例えばインターネットを用いてその結果を送信する事ができる。また、その結果は郵送等により送付することもできる。郵送は例えば、利用者がインターネットの送信を好まない場合等に用いることができる。
図２は、本発明に係る情報提供システムのサーバ側のフローチャートである。まず、クライアント側から個人情報の受付を行い（ステップＳ４０１）、以降の処理を続けるか否かの意志確認を行う（ステップＳ４０２）。これは情報を得るためには有料であることを知らない利用者に対しては有料であることを通知するための確認である。ここで、本実施形態においては、個人情報の受付を行ってから、意志確認を行っているが、意志確認を行ってから個人情報の受付を行うようにしても良い。
ここで、利用者が以降の処理を望まない場合には、処理を終了する。一方、サーバ側はクライアント側の意志確認により、以降の処理を進める場合には、質問をクライアント側へ送信し（ステップＳ４０３）、クライアント側から送信された回答の入力を行う（ステップＳ４０４）。
続いて、サーバ側は回答の解析を行う（ステップＳ４０５）。この解析はクライアントから送信された回答に基づいて行う。その後、サーバ側は回答の結果を送信する（ステップＳ４０６）。
続いて、質問がまだあるか否かを判定する（ステップＳ４０７）。ここで、複数の質問に分けて行う場合としては、複数の情報を段階を分けて提供したい場合がある。このような場合には、複数回意志の確認を行うことが望ましい。従って、複数回利用者に意志の確認を行い、さらに以降の処理を進めたい場合にのみ処理を進めるようにしても良い。例えば、情報の質等によって、情報に異なる金額を設定したい場合等には、このように繰り返し意志の確認及び情報の表示を行うようにするとよい。
質問がまだある場合には、ステップＳ４０２に戻って、再度意志の確認を行う。続いて、更に質問の表示を行い（ステップＳ４０３）、回答を受け付け（ステップＳ４０４）、回答の解析を行う（ステップＳ４０５）。続いて情報の表示を行う（ステップＳ４０６）。
図３は、本発明に係る情報提供システムのクライアント側のフローチャートである。まず、クライアントは、サーバへ接続する（ステップＳ５０１）。前述の通り、接続の形態はどのような方法でもよい。すなわち、何らかの形でサーバと通信できる環境が準備できればよい。例えば、モデムを用いて直接サーバへ接続することも考えられる。また、プロバイダを経由してインターネットを用いてサーバへ接続することも考えられる。また、例えば、ＬＡＮ接続等されており、既にサーバに接続するための環境をクライアントが有する場合には、このサーバ接続部での接続は不要である。
続いて、クライアントは個人情報の登録を行う（ステップＳ５０２）。これは、例えば、氏名、住所等の個人情報の他、有料情報が提供された場合の支払いを行う方法、例えば、クレジットカード情報等の入力を行う。入力が終了した場合には、その内容をサーバ側に送信する。
続いて、以降の処理を行うか否かをサーバへ送信する（ステップＳ５０３）。これは、サーバ側がクライアント側に対して入力を促す。
続いて、回答者は入力を行い、入力が終了した場合には、その内容をサーバ側へ送信する（ステップＳ５０４）。
続いて、クライアントはその回答に基づいた情報をサーバから取得する（ステップＳ５０５）。そして、その結果に基づいて、更に情報を取得を望む場合には処理の継続を行う。その場合にはステップＳ５０３へ進み、意志確認を行う。
次に、本発明に係る情報提供方法及び、システムの実施形態として、就職斡旋システムに適応した場合について説明する。図４は、本実施形態の就職斡旋システムを説明するブロック図である。ここでは、企業８００の就職情報についてネットワーク５００を介してサーバ６００に蓄積して公開し、その情報をクライアント４００が取得する場合についての実施形態である。本実施形態の情報提供システムには、以下で説明する処理を実現するハードウエア若しくはソフトウエアを作成し、その処理を実行可能としたコンピュータシステムを用いる。このコンピュータシステムには、いわゆる汎用機、ワークステーション、ＰＣ等が含まれる。本実施形態で用いるコンピュータシステムのハードウエア構成は、各種処理を行うためのＣＰＵと、キーボード、マウス、ライトペン、又はフレキシブルディスク装置等の入力装置と、メモリ装置やディスク装置等の記憶装置と、ディスプレイ装置、プリンタ装置等の出力装置等とを備えるようにしてもよい。
まず、企業８００は求人情報をサーバへ登録する、この登録には、サーバ６００の求人受付システム６０１を用いる。登録された求人情報は企業情報ＤＢ６１１に登録される。
クライアント４００は就職斡旋情報を得るために、サーバ６００へアクセスを行う。サーバ側の就職斡旋システム６０２は、各クライアント４００の個人情報を入力して、個人情報ＤＢ６１２へ登録し、就職斡旋システム６０２は、クライアントからの要求に応じた情報を提供する。
以下、図面を用いて就職斡旋システムの説明を行う。図５は、本実施形態で用いられる画面例である（その１）。この画面は意志表示確認画面である。まずこのシステムの内容と得られる情報の概要、及び、費用等を表示する。利用者はＹＥＳボタンを押すことにより次の段階へ進む。図６は、本実施形態で用いられる画面例である（その２）。この画面は支払方法選択画面である。有料情報を得た場合にその対価をいかに支払うかの選択を行う。本実施形態では、クレジットカード若しくは銀行口座とした。クレジットカードを選択した場合には、カード番号、有効期限等の入力を促すようにする。また、銀行口座の引き落としの場合には口座番号と必要に応じて暗証番号の入力を促す。
この個人情報の入力によりサーバは、与信調査を行うようにしてもよい。この場合には、銀行７００や与信調査会社にアクセスして、その入力情報の信用があるか否かを判定するようにしてもよい。
図７は、本実施形態で用いられる画面例である（その３）。本実施形態ではサーバ側からの図示の質問内容リストを表示する。例えば、氏名、生年月日、職歴、家族構成、現職の如くである。図８は、本実施形態で用いられる画面例である（その４）。利用者は質問リストの回答の入力を行い、その内容をサーバへ送信する。送信する場合には返送ボタンをクリックする。
サーバは利用者からの送信内容を入力して、その内容に基づいて解析を行う。その解析の結果は利用者へ表示される。図９は、本実施形態で用いられる画面例である（その５）。利用者の内容から適性分野を表示する。例えば、電気業界特に半導体、の如くである。この場合に適性率を表示するようにしてもよい。また、転職した場合の想定年収を表示するようにしてもよい。
図１０は、本実施形態で用いられる画面例である（その６）。ここでは、次の段階へ進むか否かの意志確認を行う。このように段階的に段階的に情報を得るようにすることで、利用者の希望する情報までを適切に提供することができる。また、有料情報とすることで、利用者が得られる情報とサーバ側が得られる対価に対して最適均衡が達成される。
ここで、ここまでの情報で満足する場合にはこの時点で処理を終了する。この場合であっても、例えば後日に続きから行いたい場合には、登録内容等を個人情報ＤＢ６１２へ登録しておく。後日にその個人情報を用いてその続きから処理を行えるようにしても良い。この場合には、例えば、利用者の登録時にＩＤ（識別子）を発行し、そのＩＤに基づいて個人情報を検索するようにして、その続きから処理を行うようにすることができる。このようにすることで、利用者の重複した回答を行わずに済むことができる。
図１１は、本実施形態で用いられる画面例である（その７）。この画面では、支払い方法は登録されているクレジットカード等から引き落としを行っても良いか否かの判断を促すための画面である。この前回と同じ場合には次に進み、前回と異なる方法で支払いを希望する場合にはその異なる方法を入力する。
図１２は、本実施形態で用いられる画面例である（その８）。本実施形態ではサーバ側から第２段階の質問内容リストを表示する。第２段階の質問リストとして第１段階の質問リストよりも詳細な内容、例えば、専攻分野と専門性、主な発表文献や取得した特許、現職場での職歴と職歴等の如くである。利用者は質問リストの回答の入力を行い、その内容をサーバへ送信する。
サーバは利用者からの送信内容を入力して、その内容に基づいて解析を行う。その解析の結果は利用者へ表示される。図１３は、本実施形態で用いられる画面例である（その９）。本実施形態では第１段階よりも更に詳細な情報、例えば、推奨企業や部門が表示される。例えばＡ　ｔｅｃｈｎｏｌｏｇｙ開発部門、Ｂソフトの法務部門、Ｃｐｉｃｔｕｒｅｓの如くである。さらに本実施形態では予想ポストおよび想定年収が解析され表示される。例えば、ｍａｎａｇｅｒ　９５０００−１１００００ドルの如くである。
図１４は、本実施形態で用いられる画面例である（その１０）。ここでは、次の段階へ進むか否かの意志確認を行う。このように段階的に段階的に情報を得るようにすることで、利用者の希望する情報までを適切に提供することができる。また、有料情報とすることで、利用者が得られる情報とサーバ側が得られる対価に対して最適均衡が達成される。
ここで、前の情報で満足する場合にはこの時点で処理を終了する。この場合であっても、例えば後日に続きから行いたい場合には、登録内容等を個人情報ＤＢ６１２へ登録しておく。後日にその個人情報を用いてその続きから処理を行えるようにしても良い。この場合には、例えば、利用者の登録時にＩＤを発行し、そのＩＤに基づいて個人情報を個人情報ＤＢ６１２から検索するようにして、その続きから処理を行うようにすることができる。
図１５は、本実施形態で用いられる画面例である（その１１）。この画面では、支払い方法は登録されているクレジットカード等から引き落としを行っても良いか否かの判断を促すための画面である。この前回と同じ場合には次に進み、前回と異なる方法で支払いを希望する場合にはその異なる方法を入力する。
図１６は、本実施形態で用いられる画面例である（その１２）。本実施形態ではサーバ側から第３段階の質問内容リストを表示する。第３段階の質問リストとして第２段階の質問リストよりもさらに詳細な内容、例えば、現在の職責と成果、上司との人間関係、家族状況等の如くである。利用者は質問リストの回答の入力を行い、その内容をサーバへ送信する。
サーバは利用者からの送信内容を入力して、その内容に基づいて解析を行う。その解析の結果は利用者へ表示される。図１７は、本実施形態で用いられる画面例である（その１３）。本実施形態では第１段階よりも更に詳細な情報例えば、推奨企業や部門が表示され、さらにコンタクト先等まで表示される。例えば、Ｃｐｉｃｔｕｒｅｓ予想ポスト　経理部ｍａｎａｇｅｒコンタクト先　総務部　Ｍｒ．Ｂｕｓｈの如くである。さらに本実施形態ではコンタクト先の日程を表示して面接日の設定を行うようにしてもよい。
また、面接を行う前に企業特有の質問を行いたい場合がある。この場合には、企業はその特有の質問を利用者に送付して回答を求めるようにしても良い。例えば、企業は特定の応募者たる利用者に対して更に詳細な内容を知りたい場合がある。この場合には、企業はその詳細内容を直接応募者に対して送信する。また、医者が患者に対して詳細な質問をしたい場合等にも用いることができる。
また、利用者からの回答に応じて以降の質問内容を変更し、かつ必要に応じて情報提供者に適宜接続して以降の質問を修正するようにしてもよい。
さらに、提示された条件に同意できる場合には、その後に利用者は就職の契約を結ぶ事ができるようにしても良い。
本実施形態では、就職情報の斡旋に関して説明したが、本発明に掛かる情報提供方法はこれに限られずに、医者若しくは病院を検索する際の情報を得る場合や、弁護士若しくは法律事務所を検索する場合に用いられることができる。
以上のように本実施形態の情報提供システムによれば、利用者の匿名性を尊重しつつ、どの段階まで利用者が希望しているかを把握する事ができ、さらに、利用者が得る情報とサーバ側が得る対価との最適均衡を達成することである情報提供システム、情報提供方法及び情報取得方法を提供することができる。
なお、上述した情報提供方法及び情報取得方法を実現するためのプログラムは記録媒体に保存することができる。この記録媒体をコンピュータシステムによって読み込ませ、前記プログラムを実行してコンピュータを制御しながら上述した情報提供及び情報取得を実現することができる。ここで、前記記録媒体とは、メモリ装置、磁気ディスク装置、光ディスク装置等、プログラムを記録することができるような装置が含まれる。例えば、ＣＤ−ＲＯＭ，ＤＶＤ，ＺＩＰ，ＪＡＺ，ＭＯ，ＤＡＴ等の記録媒体である。
【図面の簡単な説明】
図１は、本発明に係る情報提供システムを説明するための図面である。
図２は、本発明に係る情報提供システムのサーバ側のフローチャートである。
図３は、本発明に係る情報提供システムのクライアント側のフローチャートである。
図４は、本実施形態の就職斡旋システムを説明するブロック図である。
図５は、本実施形態で用いられる画面例である（その１）。
図６は、本実施形態で用いられる画面例である（その２）。
図７は、本実施形態で用いられる画面例である（その３）。
図８は、本実施形態で用いられる画面例である（その４）。
図９は、本実施形態で用いられる画面例である（その５）。
図１０は、本実施形態で用いられる画面例である（その６）。
図１１は、本実施形態で用いられる画面例である（その７）。
図１２は、本実施形態で用いられる画面例である（その８）。
図１３は、本実施形態で用いられる画面例である（その９）。
図１４は、本実施形態で用いられる画面例である（その１０）。
図１５は、本実施形態で用いられる画面例である（その１１）。
図１６は、本実施形態で用いられる画面例である（その１２）。
図１７は、本実施形態で用いられる画面例である（その１３）。
【図１】
2002027580.tif 000003
【図２】
2002027580.tif 000004
【図３】
2002027580.tif 000005
【図４】
2002027580.tif 000006
【図５】
2002027580.tif 000007
【図６】
2002027580.tif 000008
【図７】
2002027580.tif 000009
【図８】
2002027580.tif 000010
【図９】
2002027580.tif 000011
【図１０】
2002027580.tif 000012
【図１１】
2002027580.tif 000013
【図１２】
2002027580.tif 000014
【図１３】
2002027580.tif 000015
【図１４】
2002027580.tif 000016
【図１５】
2002027580.tif 000017
【図１６】
2002027580.tif 000018
【図１７】
2002027580.tif 000019
【国際調査報告】
2002027580.tif 000020
2002027580.tif 000021
2002027580.tif 000022
2002027580.tif 000023